(57)【要約】【課題】基板側コネクタにケーブル側コネクタが装着された後における、ケーブル側コネクタにおける複数のケーブルが繋げられた部分が回路基板から離隔する方向に変位せしめられる煽り変位に対する抑制力を高めることができるコネクタ装置を提供する。【解決手段】第１の導電性シェル１７における複数の第１の導電コンタクトの配列方向の両端部及び第２の導電性シェル２１における複数の第２の導電コンタクトの配列方向の両端部に、ケーブル側コネクタ１３が基板側コネクタ１２に装着されるとき相互当接する一対の当接面部３０及び４４が夫々形成され、当接面部３０に、係合凸部３１が設けられるとともに、当接面部４４に、一対の当接面部３０及び４４が相互当接するとき係合凸部３１に嵌合する嵌合孔部４５が設けられる。【選択図】図１０
2019029293.tif 000002
【特許請求の範囲】
【請求項１】
第１の絶縁ハウジング, 該第１の絶縁ハウジングにより支持されて配列配置される複数の第１の導電コンタクト、及び、上記第１の絶縁ハウジングを部分的もしくは全体的に覆う第１の導電性シェルを備え、上記複数の第１の導電コンタクトが回路基板に電気的に接続される状態をもって上記回路基板に配される基板側コネクタと、
第２の絶縁ハウジング, 該第２の絶縁ハウジングにより支持されて配列配置される複数の第２の導電コンタクト、及び、上記第２の絶縁ハウジングを部分的もしくは全体的に覆う第２の導電性シェルを備え、上記複数の第２の導電コンタクトに複数のケーブルが電気的に接続されたもとで、上記複数の第２の導電コンタクトを上記複数の第１の導電コンタクトに夫々接触させる状態をもって上記基板側コネクタに装着されるケーブル側コネクタと、
を含んで成り、
上記第１の導電性シェルにおける上記複数の第１の導電コンタクトの配列方向の両端部及び上記第２の導電性シェルにおける上記複数の第２の導電コンタクトの配列方向の両端部に、上記ケーブル側コネクタが上記基板側コネクタに装着されるとき相互当接する一対の当接面部が夫々形成され、該一対の当接面部のうちの一方に係合凸部が設けられるとともに、上記一対の当接面部のうちの他方に、上記一対の当接面部が相互当接するとき上記係合凸部に嵌合する嵌合孔部が設けられたことを特徴とするコネクタ装置。
【請求項２】
上記ケーブル側コネクタが、上記基板側コネクタに装着されるときには、上記回路基板に沿って上記基板側コネクタに向かう所定の方向に移動せしめられるものとされ、上記一対の当接面部の夫々が上記所定の方向に交差する当接面を成すことを特徴とする請求項１記載のコネクタ装置。
【請求項３】
上記嵌合孔部が、上記係合凸部に嵌合した状態にあるもとで、上記ケーブル側コネクタに上記所定の方向に交差する方向の外力が加えられるとき該外力に抗して上記一対の当接面部に相互当接状態を維持させる作用をもたらすことを特徴とする請求項２記載のコネクタ装置。
【請求項４】
上記第１の導電性シェルにおける上記両端部の間の部分及び上記第２の導電性シェルにおける上記両端部の間の部分のうちの一方に、付加係合凸部が設けられるとともに、上記第１の導電性シェルにおける上記両端部の間の部分及び上記第２の導電性シェルにおける上記両端部の間の部分のうちの他方に、上記一対の当接面部が相互当接するとき上記付加係合凸部に嵌合する付加嵌合孔部が設けられたことを特徴とする請求項１記載のコネクタ装置。
【請求項５】
上記付加係合凸部が上記第１の導電性シェルにおける上記両端部の間の部分及び上記第２の導電性シェルにおける上記両端部の間の部分のうちの一方に複数個設けられるとともに、上記付加嵌合孔部が上記第１の導電性シェルにおける上記両端部の間の部分及び上記第２の導電性シェルにおける上記両端部の間の部分のうちの他方に複数個設けられることを特徴とする請求項４記載のコネクタ装置。
【発明の詳細な説明】
【技術分野】
【０００１】
本願の特許請求の範囲に記載された発明は、回路基板に取り付けられる基板側コネクタと、複数のケーブルが電気的に接続されたもとで基板側コネクタに装着されるケーブル側コネクタと、を含んで構成されるコネクタ装置に関する。
【背景技術】
【０００２】
複数の比較的細いケーブルを、各種の電気回路部品が実装される回路基板に電気的に連結するにあたっては、回路基板に電気的接続がなされて取り付けられる基板側コネクタと、複数のケーブルが電気的に接続されたもとで基板側コネクタに装着されるケーブル側コネクタとが用いられる。ケーブル側コネクタには、複数のケーブルとの電気的接続がなされる複数の導電コンタクトが配されており、これら複数の導電コンタクトの夫々における接触端子部が配された差込部が設けられている。また、基板側コネクタには、ケーブル側コネクタに設けられた差込部が挿入される嵌合部が設けられており、さらに、回路基板との電気的接続がなされる複数の導電コンタクトが配されていて、複数の導電コンタクトの夫々は、ケーブル側コネクタの差込部が挿入された嵌合部内において、当該差込部における複数の導電コンタクトの夫々における接触端子部に押圧接触する当接部を有している。
【０００３】
基板側コネクタは、嵌合部を形成するとともに複数の導電コンタクトを支持する絶縁ハウジングと、電磁波ノイズに対するシールド効果を得るため、絶縁ハウジングを部分的もしくは全体的に覆ってグラウンド接続される、金属製の導電性シェルとを備えて構成される。また、ケーブル側コネクタも、差込部を形成するとともに複数の導電コンタクトを支持する絶縁ハウジングと、電磁波ノイズに対するシールド効果を得るため、絶縁ハウジングを部分的もしくは全体的に覆ってグラウンド接続される、金属製の導電性シェルとを備えて構成される。そして、ケーブル側コネクタは、複数の導電コンタクトに複数のケーブルが夫々電気的に接続されたもとで、差込部が基板側コネクタの嵌合部に挿入されて、基板側コネクタに装着される。その際、ケーブル側コネクタの差込部における複数の導電コンタクトの夫々の接触端子部に、基板側コネクタの複数の導電コンタクトの夫々の当接部が押圧接触するものとされ、それにより、ケーブル側コネクタに接続された複数のケーブルと基板側コネクタが取り付けられた回路基板との電気的連結がなされる。
【０００４】
このような回路基板に取り付けられる基板側コネクタと複数のケーブルが接続されたもとで基板側コネクタに装着されるケーブル側コネクタとを含んで構成され、複数のケーブルの回路基板への電気的連結に用いられるコネクタ装置として、幾つかのものが従来提案されている（例えば、特許文献１参照。）。
【０００５】
特許文献１に記載されている従来提案されたコネクタ装置は、基板側コネクタを成すレセプタクルコネクタ(60)とケーブル側コネクタを成すプラグコネクタ(10)とを含んで構成されており、レセプタクルコネクタ(60)が回路基板（プリント基板）に実装されるものとされ、ケーブル側コネクタがそれに複数のケーブル(20)が接続されるものとされている。そして、レセプタクルコネクタ(60)は、各々が回路基板に電気的に接続される複数の第１の導電コンタクト（コンタクト(70)) 、第１の導電コンタクトを保持する第１の絶縁ハウジング（ハウジング(62)) 及び第１の絶縁ハウジングの外周を覆う第１の導電性シェル（金属シェル(64)) を備えている。また、プラグコネクタ(10)は、複数のケーブルに夫々電気的に接続される複数の第２の導電コンタクト（コンタクト(11)) 、第２の導電コンタクトを保持する第２の絶縁ハウジング（ハウジング(12)) 及び第２の絶縁ハウジングの外周を覆う第２の導電性シェル（金属シェル(14)) を備えている。レセプタクルコネクタ(60)において第１の導電性シェルは複数の第１の導電コンタクトに電磁シールド作用を及ぼすものとされ、また、プラグコネクタ(10)において第２の導電性シェルは複数の第２の導電コンタクトに電磁シールド作用を及ぼすものとされており、プラグコネクタ(10)の第２の導電性シェルは、第２の絶縁ハウジングの上側を覆う上側シェル(14A) と第２の絶縁ハウジングの下側を覆う下側シェル(14B) とから成るものとされている。
【０００６】
斯かるもとで、プラグコネクタ(10)には、複数の第２の導電コンタクトの夫々における接触端子部が配された差込み部（嵌合部(13)) が設けられているとともに、レセプタクルコネクタ(60)には、内部に複数の第１の導電コンタクトの夫々における当接部（接点部(72)) が配されていて、プラグコネクタ(10)における差込み部を受け入れる嵌合部（嵌合口(63)) が設けられている。そして、回路基板に実装されたレセプタクルコネクタ(60)における嵌合部に、複数のケーブル(20)が接続されたプラグコネクタ(10)における差込み部が挿入されて、レセプタクルコネクタ(60)に複数のケーブル(20)が接続されたプラグコネクタ(10)が装着される。このとき、レセプタクルコネクタ(60)における嵌合部の内部において、複数の第１の導電コンタクトの夫々における当接部がプラグコネクタ(10)における差込み部に配された第２の導電コンタクトの接触端子部に押圧接触し、複数の第２の導電コンタクトが複数の第１の導電コンタクトに夫々電気的に接続される。それにより、プラグコネクタ(10)に接続された複数のケーブルが、レセプタクルコネクタ(60)が実装された回路基板に、複数の第２の導電コンタクト及び第１の導電コンタクトを通じて連結される。
【先行技術文献】
【特許文献】
【０００７】
【特許文献１】特開２０１３−１１４７６５号公報
【発明の概要】
【発明が解決しようとする課題】
【０００８】
上述のように、回路基板に実装されたレセプタクルコネクタ(60)に複数のケーブル(20)が接続されたプラグコネクタ(10)が装着されるにあたり、レセプタクルコネクタ(60)に設けられた嵌合部にプラグコネクタ(10)に設けられた差込み部が挿入されるものとされる従来のコネクタ装置にあっては、複数のケーブル(20)が接続されたプラグコネクタ(10)が回路基板に実装されたレセプタクルコネクタ(60)に装着された後において、例えば、プラグコネクタ(10)に接続された複数のケーブル(20)がレセプタクルコネクタ(60)が実装された回路基板から離隔する方向に移動せしめられる事態が生じ、それにより、差込み部をレセプタクルコネクタ(60)に設けられた嵌合部に挿入させたプラグコネクタ(10)に、それにおける複数のケーブル(20)が外部から繋げられた部分が、回路基板から離隔する方向、即ち、プラグコネクタ(10)における下側シェル(14B) から上側シェル(14A) に向かう方向に変位せしめられる、煽り変位がもたらされる虞がある。
【０００９】
そして、プラグコネクタ(10)にこのような煽り変位がもたらされると、レセプタクルコネクタ(60)に設けられた嵌合部の内部において、プラグコネクタ(10)に設けられた差込み部が不所望な変位を生じ、それにより、レセプタクルコネクタ(60)における複数の第１の導電コンタクト、さらには、第１の絶縁ハウジングにおける嵌合部を形成する部分に、変形あるいは損傷を与えることになり、さらには、プラグコネクタ(10)における第２の導電性シェルがレセプタクルコネクタ(60)における第１の導電性シェルに当接係合して、第１の導電性シェル及び第２の導電性シェルの双方が、変形あるいは損傷を受けることになってしまう。それゆえ、プラグコネクタ(10)にあっては、上述のような煽り変位に対する抑制力が高められたものとされることが望まれるところとなる。
【００１０】
斯かる点に鑑み、本願の特許請求の範囲に記載された発明は、回路基板に配される基板側コネクタと複数のケーブルを伴うものとされるケーブル側コネクタとを含んで構成され、基板側コネクタが回路基板に電気的に接続される複数の第１の導電コンタクトを備えるとともに、ケーブル側コネクタが複数のケーブルが夫々電気的に接続される複数の第２の導電コンタクトを備え、複数の第２の導電コンタクトを複数の第１の導電コンタクトに夫々接続させる状態をもってケーブル側コネクタが基板側コネクタに装着されるものとされたもとにおいて、基板側コネクタにケーブル側コネクタが装着された後における、ケーブル側コネクタにおける複数のケーブルが外部から繋げられた部分が回路基板から離隔する方向に変位せしめられる煽り変位に対する抑制力を、効果的に高めることができるコネクタ装置を提供する。
【課題を解決するための手段】
【００１１】
本願の特許請求の範囲における請求項１から請求項５までのいずれかに記載された発明（以下、本願発明という。）に係るコネクタ装置は、第１の絶縁ハウジング, 第１の絶縁ハウジングにより支持されて配列配置される複数の第１の導電コンタクト、及び、第１の絶縁ハウジングを部分的もしくは全体的に覆う第１の導電性シェルを備え、複数の第１の導電コンタクトが回路基板に電気的に接続される状態をもって回路基板に配される基板側コネクタと、第２の絶縁ハウジング, 第２の絶縁ハウジングにより支持されて配列配置される複数の第２の導電コンタクト、及び、第２の絶縁ハウジングを部分的もしくは全体的に覆う第２の導電性シェルを備え、複数の第２の導電コンタクトに複数のケーブルが電気的に接続されたもとで、複数の第２の導電コンタクトを複数の第１の導電コンタクトに夫々接触させる状態をもって基板側コネクタに装着されるケーブル側コネクタと、を含んで成り、第１の導電性シェルにおける複数の第１の導電コンタクトの配列方向の両端部及び第２の導電性シェルにおける複数の第２の導電コンタクトの配列方向の両端部に、ケーブル側コネクタが基板側コネクタに装着されるとき相互当接する一対の当接面部が夫々形成され、一対の当接面部のうちの一方に、係合凸部が設けられるとともに、一対の当接面部のうちの他方に、一対の当接面部が相互当接するとき係合凸部に嵌合する嵌合孔部が設けられたことを特徴とするものとされる。
【００１２】
特に、本願発明に係るコネクタ装置のうちの、請求項２に記載されたものにあっては、ケーブル側コネクタが、基板側コネクタに装着されるときには、回路基板に沿って基板側コネクタに向かう所定の方向に移動せしめられるものとされ、一対の当接面部の夫々が上述の所定の方向に交差する当接面を成す。
【００１３】
さらに、本願発明に係るコネクタ装置のうちの、請求項４に記載されたものにあっては、第１の導電性シェルにおける両端部の間の部分及び第２の導電性シェルにおける両端部の間の部分のうちの一方に、付加係合凸部が設けられるとともに、第１の導電性シェルにおける両端部の間の部分及び第２の導電性シェルにおける両端部の間の部分のうちの他方に、一対の当接面部が相互当接するとき付加係合凸部に嵌合する付加嵌合孔部が設けられる。
【００１４】
上述のように構成される本願発明に係るコネクタ装置にあっては、基板側コネクタが備える第１の絶縁ハウジングを部分的もしくは全体的に覆う第１の導電性シェル、及び、ケーブル側コネクタが備える第２の絶縁ハウジングを部分的もしくは全体的に覆う第２の導電性シェルが、第１の導電性シェルにおける第１の絶縁ハウジングに配列配置された複数の第１の導電コンタクトの配列方向の両端部及び第２の導電性シェルにおける第２の絶縁ハウジングに配列配置された複数の第２の導電コンタクトの配列方向の両端部に、ケーブル側コネクタが基板側コネクタに装着されるとき相互当接する一対の当接面部が形成され、一対の当接面部の一方に係合凸部が設けられるとともに、一対の当接面部の他方に係合凸部に嵌合する嵌合孔部が設けられたものとされる。そして、ケーブル側コネクタが、例えば、複数の第２の導電コンタクトに複数のケーブルが電気的に接続されたもとで、回路基板に配された基板側コネクタに装着されるときには、嵌合孔部が係合凸部に嵌合する状態のもとに一対の当接面部が相互当接するものとされる。
【００１５】
ケーブル側コネクタは、例えば、基板側コネクタに装着されるときには、回路基板に沿って基板側コネクタに向かう所定の方向に移動せしめられるものとされ、斯かるもとで、第１の導電性シェル及び第２の導電性シェルに夫々形成された一対の当接面部の夫々が上述の所定の方向に交差する当接面を成すものとされる。
【００１６】
また、本願発明に係るコネクタ装置の一例にあっては、基板側コネクタの第１の導電性シェル及びケーブル側コネクタの第２の導電性シェルが、第１の導電性シェルにおける複数の第１の導電コンタクトの配列方向の両端部の間の部分に付加係合凸部が設けられるとともに、第２の導電性シェルにおける複数の第２の導電コンタクトの配列方向の両端部の間の部分に、一対の当接面部が相互当接するとき付加係合凸部に嵌合する付加嵌合孔部が設けられたもの、もしくは、第２の導電性シェルにおける複数の第２の導電コンタクトの配列方向の両端部の間の部分に付加係合凸部が設けられるとともに、第１の導電性シェルにおける複数の第１の導電コンタクトの配列方向の両端部の間の部分に、一対の当接面部が相互当接するとき付加係合凸部に嵌合する付加嵌合孔部が設けられたものとされる。それにより、ケーブル側コネクタが、例えば、複数の第２の導電コンタクトに複数のケーブルが電気的に接続されたもとで、回路基板に配された基板側コネクタに装着されるときには、嵌合孔部が係合凸部に嵌合する状態のもとに一対の当接面部が相互当接するものとされ、さらに、付加嵌合孔部が付加係合凸部に嵌合するものとされる。
【発明の効果】
【００１７】
上述の本願発明に係るコネクタ装置にあっては、ケーブル側コネクタが基板側コネクタに装着されるときには、嵌合孔部が係合凸部に嵌合する状態のもとに一対の当接面部が相互当接するものとされるので、ケーブル側コネクタが、複数の第２の導電コンタクトに複数のケーブルが電気的に接続されたもとで、回路基板に配された基板側コネクタに装着されたもとにあっては、嵌合孔部が係合凸部に嵌合する状態のもとに一対の当接面部が相互当接している。それゆえ、例えば、ケーブル側コネクタにおける複数の第２の導電コンタクトに接続された複数のケーブルが、基板側コネクタが配された回路基板から離隔する方向に移動せしめられる事態が生じ、それにより、基板側コネクタに装着されたケーブル側コネクタに、それにおける複数のケーブルが外部から繋げられた部分が回路基板から離隔する方向に変位せしめられる煽り変位がもたらされようとすると、嵌合孔部が係合凸部に嵌合する状態のもとに相互当接する一対の当接面部を有した基板側コネクタの第１の導電性シェル及びケーブル側コネクタの第２の導電性シェルが、ケーブル側コネクタにおける上述の煽り変位を抑制する働きをする。即ち、第１の導電性シェル及び第２の導電性シェルにおける、嵌合孔部が係合凸部に嵌合する状態のもとに相互当接している一対の当接面部によって、ケーブル側コネクタにおける複数のケーブルが外部から繋げられた部分が基板側コネクタが配された回路基板から離隔する方向に変位せしめられる煽り変位に対する抑制力が、効果的に高められているのである。
【００１８】
従って、本願発明に係るコネクタ装置によれば、基板側コネクタにケーブル側コネクタが装着された後における、ケーブル側コネクタにおける複数のケーブルが外部から繋げられた部分が基板側コネクタが配された回路基板から離隔する方向に変位せしめられる煽り変位に対する抑制力を、効果的に高めることができることになる。
【００１９】
このようなもとで、ケーブル側コネクタが、基板側コネクタに装着されるときには、回路基板に沿って基板側コネクタに向かう所定の方向に移動せしめられるものとされ、斯かるもとで、第１の導電性シェルに形成された当接面部及び第２の導電性シェルに形成された当接面部の夫々が上述の所定の方向に交差する当接面を成すものとされる場合には、嵌合孔部が係合凸部に嵌合する状態のもとに相互当接する一対の当接面部によりもたらされる、ケーブル側コネクタにおける複数のケーブルが外部から繋げられた部分が基板側コネクタが配された回路基板から離隔する方向に変位せしめられる煽り変位に対する抑制力が、より一層効果的に高められる。
【００２０】
また、本願発明に係るコネクタ装置の一例にあっては、ケーブル側コネクタが、例えば、複数の第２の導電コンタクトに複数のケーブルが電気的に接続されたもとで、回路基板に配された基板側コネクタに装着されるときには、嵌合孔部が係合凸部に嵌合する状態のもとに一対の当接面部が相互当接するものとされ、さらに、それに加えて、付加嵌合孔部が付加係合凸部に嵌合するものとされる。それにより、本願発明に係るコネクタ装置の一例によれば、嵌合孔部が係合凸部に嵌合する状態のもとに相互当接する一対の当接面部によるだけでなく、それに加えて、付加係合凸部に嵌合する付加嵌合孔部によって、ケーブル側コネクタにおける複数のケーブルが外部から繋げられた部分が基板側コネクタが配された回路基板から離隔する方向に変位せしめられる煽り変位に対する抑制力が、極めて効果的に高められることになる。
【図面の簡単な説明】
【００２１】
【図１】本願発明に係るコネクタ装置の一例を構成する基板側コネクタとケーブル側コネクタとを、基板側コネクタが配された回路基板及びケーブル側コネクタに繋がれた複数のケーブルと共に示す斜視図である。
【図２】本願発明に係るコネクタ装置の一例を構成する基板側コネクタとケーブル側コネクタとを、基板側コネクタが配された回路基板及びケーブル側コネクタに繋がれた複数のケーブルと共に示す平面図である。
【図３】本願発明に係るコネクタ装置の一例を構成する基板側コネクタが備える第１の導電性シェルを示す斜視図である。
【図４】本願発明に係るコネクタ装置の一例を構成する基板側コネクタが備える第１の導電性シェルを示す平面図である。
【図５】本願発明に係るコネクタ装置の一例を構成するケーブル側コネクタが備える第２の導電性シェルを構成する第１のシェル半体を示す斜視図である。
【図６】本願発明に係るコネクタ装置の一例を構成するケーブル側コネクタが備える第２の導電性シェルを構成する第１のシェル半体を示す平面図である。
【図７】本願発明に係るコネクタ装置の一例を構成するケーブル側コネクタが備える第２の導電性シェルを構成する第２のシェル半体を示す斜視図である。
【図８】本願発明に係るコネクタ装置の一例を構成する基板側コネクタとケーブル側コネクタとを、ケーブル側コネクタが基板側コネクタに装着された状態をもって、基板側コネクタが配された回路基板及びケーブル側コネクタに繋がれた複数のケーブルと共に示す斜視図である。
【図９】本願発明に係るコネクタ装置の一例を構成する基板側コネクタとケーブル側コネクタとを、ケーブル側コネクタが基板側コネクタに装着された状態をもって、基板側コネクタが配された回路基板及びケーブル側コネクタに繋がれた複数のケーブルと共に示す平面図である。
【図１０】図９における X−X 線断面を示す断面図である。
【図１１】図１０における破線枠Ａ内を拡大して示す部分拡大断面図である。
【図１２】図９における XII−XII 線断面を示す断面図である。
【図１３】図１２における破線枠Ｂ内を拡大して示す部分拡大断面図である。
【発明を実施するための形態】
【００２２】
本願発明を実施するための形態は、以下に述べられる本願発明についての実施例をもって説明される。
【実施例】
【００２３】
図１（斜視図）及び図２（平面図）は、本願発明に係るコネクタ装置の一例を成すコネクタ装置を構成する基板側コネクタとケーブル側コネクタとを、基板側コネクタが配された回路基板及びケーブル側コネクタに繋がれた複数のケーブルと共に示す。
【００２４】
図１及び図２において、本願発明に係るコネクタ装置の一例を成すコネクタ装置１１は、基板側コネクタ１２とケーブル側コネクタ１３とを含んで構成される。基板側コネクタ１２は、各種の電気回路部品が取り付けられる回路基板１４に、それとの電気的接続がなされて配される。また、ケーブル側コネクタ１３は、それに複数のケーブル１５が電気的に繋がれたもとで、基板側コネクタ１２に着脱可能に装着される。
【００２５】
基板側コネクタ１２は、合成樹脂等の絶縁材料によって形成された第１の絶縁ハウジング１６、及び、電磁波ノイズに対する電磁シールド効果を得るため第１の絶縁ハウジング１６を部分的に覆うものとされた、金属製の第１の導電性シェル１７を備えている。第１の導電性シェル１７にあっては、第１の絶縁ハウジング１６を、部分的にではなく、全体的に覆うものとされてもよい。
【００２６】
第１の導電性シェル１７は、その複数箇所に形成された係止片が第１の絶縁ハウジング１６に係合して第１の絶縁ハウジング１６に取り付けられており、また、その一部分が回路基板１４における部品搭載面１４ａに固定されて、それにより、第１の絶縁ハウジング１６が回路基板１４における部品搭載面１４ａに固定された状態におかれる。そして、基板側コネクタ１２には、後述されるケーブル側コネクタ１３における差込部２３が挿入される嵌合部１８が設けられている。
【００２７】
ケーブル側コネクタ１３は、合成樹脂等の絶縁材料によって形成された第２の絶縁ハウジング２０，外部からの電磁波ノイズに対する電磁シールド効果を得るため第２の絶縁ハウジング２０を部分的に覆うものとされた金属製の第２の導電性シェル２１、及び、金属棒状部材が屈曲されて形成され、第２の絶縁ハウジング２０に対して回動可能とされた操作レバー２２を備えている。第２の導電性シェル２１にあっては、第２の絶縁ハウジング２０を、部分的にではなく、全体的に覆うものとされてもよい。
【００２８】
第２の絶縁ハウジング２０は、基板側コネクタ１２における嵌合部１８に挿入される差込部２３を形成している。また、第２の導電性シェル２１は、相互係合する第１のシェル半体２１Ａ及び第２のシェル半体２１Ｂとにより構成されており、第１及び第２のシェル半体２１Ａ及び２１Ｂの夫々は、その複数箇所に形成された係止片が第２の絶縁ハウジング２０に係合して第２の絶縁ハウジング２０に取り付けられている。
【００２９】
ケーブル側コネクタ１３における差込部２３の基板側コネクタ１２における嵌合部１８への挿入は、差込部２３が嵌合部１８における開口部に対向する位置に配されたもとで、ケーブル側コネクタ１３が回路基板１４における部品搭載面１４ａに沿って基板側コネクタ１２に向かう方向に移動せしめられて行われ、それにより、ケーブル側コネクタ１３が基板側コネクタ１２に装着される。
【００３０】
基板側コネクタ１２に設けられた嵌合部１８の内部には、複数の第１の導電コンタクト２４が第１の絶縁ハウジング１６により支持されて配列配置されている。複数の第１の導電コンタクト２４の夫々は、その一部分が嵌合部１８の開口端とは反対側において第１の絶縁ハウジング１６からその外部に伸びる接続端子部を形成している。第１の導電コンタクト２４の接続端子部は、基板側コネクタ１２が配された回路基板１４における部品搭載面１４ａに設けられた回路接続端子部に電気的に接続され、それにより、基板側コネクタ１２の回路基板１４との電気的接続がなされる。
【００３１】
ケーブル側コネクタ１３における差込部２３には、第２の絶縁ハウジング２０により支持された複数の第２の導電コンタクト２５の各々の端部が配列配置されている。そして、複数の第２の導電コンタクト２５の夫々にあっては、その差込部２３側とは反対側の端部に、ケーブル１５が電気的に接続されている。また、ケーブル側コネクタ１３が備える操作レバー２２は、全体的に見て、第２の絶縁ハウジング２０により支持された複数の第２の導電コンタクト２５の配列方向に沿って伸びるものとされており、その両端部分が第２の導電性シェル２１における複数の第２の導電コンタクト２５の配列方向の両端部によって、回動可能に保持されている。
【００３２】
操作レバー２２は、ケーブル側コネクタ１３における差込部２３が基板側コネクタ１２に設けられた嵌合部１８に挿入されて、ケーブル側コネクタ１３が基板側コネクタ１２に装着されたとき、図１及び図２に示される、基板側コネクタ１２が配された回路基板１４に対して立ち上がった位置から、回路基板１４に対して伏した位置へと回動せしめられ、基板側コネクタ１２が備える第１の導電性シェル１７における嵌合部１８の開口端とは反対側の端縁部に係合するものとされる。それにより、ケーブル側コネクタ１３における差込部２３が基板側コネクタ１２に設けられた嵌合部１８に挿入されて、ケーブル側コネクタ１３が基板側コネクタ１２に装着された状態が安定に維持される。即ち、操作レバー２２は、ケーブル側コネクタ１３が基板側コネクタ１２に装着された状態を安定に維持するためのロック手段の役割を果たすものとされているのである。
【００３３】
図３及び図４に示されるように、基板側コネクタ１２が備える第１の導電性シェル１７は、第１の絶縁ハウジング１６に固定されたとき第１の絶縁ハウジング１６によって支持された複数の第１の導電コンタクト２４の配列方向となる矢印Ｌ１により示される方向（以下、第１の導電コンタクト配列方向という。）の両端部である一対の端部２６及び２７に、基板取り付け部２８及び２９が夫々形成されたものとされている。これらの基板取り付け部２８及び２９は、基板側コネクタ１２が配される回路基板１４に、例えば、半田付けによって固定される。その際、基板取り付け部２８及び２９は、回路基板１４の部品搭載面１４ａに設けられた接地電位部に接続され、それにより、第１の導電性シェル１７に接地電位が与えられる。
【００３４】
そして、第１の導電性シェル１７における第１の導電コンタクト配列方向の両端部の一方である端部２６には、当接面部３０が形成されており、その当接面部３０に係合凸部３１が設けられている。同様に、第１の導電性シェル１７における第１の導電コンタクト配列方向の両端部の他方である端部２７には、当接面部３２が形成されており、その当接面部３２に係合凸部３３が設けられている。これらの当接面部３０及び３２と係合凸部３１及び３３は、ケーブル側コネクタ１３が基板側コネクタ１２に装着されるとき、ケーブル側コネクタ１３が備える第２の導電性シェル２１に係合するものとされている。
【００３５】
また、第１の導電性シェル１７における第１の導電コンタクト配列方向の両端部である一対の端部２６及び２７の間の部分は、基板側コネクタ１２に設けられた嵌合部１８を部分的に形成するものとされており、その略中央部に一対の嵌合孔部３４が設けられている。なお、嵌合孔部３４の数は、２個（一対）に限られず、１個あるいは３個以上であってもよい。
【００３６】
図５及び図６に示されるように、ケーブル側コネクタ１３が備える第２の導電性シェル２１を構成する第１のシェル半体２１Ａは、第２の絶縁ハウジング２０に固定されたとき第２の絶縁ハウジング２０によって支持された複数の第２の導電コンタクト２５の配列方向となる矢印Ｌ２によって示される方向（以下、第２の導電コンタクト配列方向という。）の両端部である一対の端部３５及び３６に、操作レバー２２の両端部を支持するための支持溝部３７及び３８が夫々形成されたものとされている。そして、第１のシェル半体２１Ａにおける第２の導電コンタクト配列方向の両端部である一対の端部３５及び３６の間の部分は、その略中央部に一対の係合凸部３９が設けられている。なお、第１のシェル半体２１Ａにおける第２の導電コンタクト配列方向の両端部である一対の端部３５及び３６の間の部分における係合凸部３９の数は、２個（一対）に限られず、１個あるいは３個以上であってもよい。
【００３７】
さらに、図７に示されるように、ケーブル側コネクタ１３が備える第２の導電性シェル２１を第１のシェル半体２１Ａと共に構成する第２のシェル半体２１Ｂは、第２の導電コンタクト配列方向の両端部である一対の端部４０及び４１に、第１のシェル半体２１Ａにおける支持溝部３７に係合する係合溝部４２及び第１のシェル半体２１Ａにおける支持溝部３８に係合する係合溝部４３が夫々形成されたものとされている。係合溝部４２は、第１のシェル半体２１Ａにおける支持溝部３７により支持された操作レバー２２の一端部を支持溝部３７内に抑え込む役割を果たし、また、係合溝部４３は、第１のシェル半体２１Ａにおける支持溝部３８により支持された操作レバー２２の他端部を支持溝部３８内に抑え込む役割を果たす。
【００３８】
そして、第２のシェル半体２１Ｂにおける第２の導電コンタクト配列方向の両端部の一方である端部４０には、当接面部４４が形成されており、その当接面部４４に嵌合孔部４５が設けられている。同様に、第２のシェル半体２１Ｂにおける第２の導電コンタクト配列方向の両端部の他方である端部４１には、当接面部４６が形成されており、その当接面部４６に嵌合孔部４７が設けられている。
【００３９】
このような第１及び第２のシェル半体２１Ａ及２１Ｂは、第１のシェル半体２１Ａの端部３５における支持溝部３７に第２のシェル半体２１Ｂの端部４０における係合溝部４２を係合させるとともに、第１のシェル半体２１Ａの端部３６における支持溝部３８に第２のシェル半体２１Ｂの端部４１における係合溝部４３を係合させることにより、相互係合する状態におかれて、ケーブル側コネクタ１３が備える第２の導電性シェル２１を構成する。
【００４０】
そして、ケーブル側コネクタ１３が備える上述のような第１及び第２のシェル半体２１Ａ及び２１Ｂによって構成された第２の導電性シェル２１にあっては、ケーブル側コネクタ１３が基板側コネクタ１２に装着されるとき、第２のシェル半体２１Ｂにおける第２の導電コンタクト配列方向の両端部のうちの一方である端部４０に形成された当接面部４４が、基板側コネクタ１２が備える第１の導電性シェル１７における第１の導電コンタクト配列方向の両端部のうちの一方である端部２６に形成された当接面部３０に当接するとともに、第２のシェル半体２１Ｂにおける第２の導電コンタクト配列方向の両端部のうちの他方である端部４１に形成された当接面部４６が、基板側コネクタ１２が備える第１の導電性シェル１７における第１の導電コンタクト配列方向の両端部のうちの他方である端部２７に形成された当接面部３２に当接するものとされる。そして、基板側コネクタ１２が備える第１の導電性シェル１７の端部２６に形成された当接面部３０とケーブル側コネクタ１３が備える第２の導電性シェル２１を構成する第２のシェル半体２１Ｂの端部４０に形成された当接面部４４とが、ケーブル側コネクタ１３が基板側コネクタ１２に装着されるとき相互当接する一対の当接面部を成しているとともに、基板側コネクタ１２が備える第１の導電性シェル１７の端部２７に形成された当接面部３２とケーブル側コネクタ１３が備える第２の導電性シェル２１を構成する第２のシェル半体２１Ｂの端部４１に形成された当接面部４６とが、ケーブル側コネクタ１３が基板側コネクタ１２に装着されるとき相互当接する一対の当接面部を成している。従って、基板側コネクタ１２が備える第１の導電性シェル１７における第１の導電コンタクト配列方向の両端部及びケーブル側コネクタ１３が備える第２の導電性シェル２１における第２の導電コンタクト配列方向の両端部に、ケーブル側コネクタ１３が基板側コネクタ１２に装着されるとき相互当接する一対の当接面部が夫々形成されていることになる。
【００４１】
ケーブル側コネクタ１３が基板側コネクタ１２に装着されるときには、ケーブル側コネクタ１３が、基板側コネクタ１２が配された回路基板１４の部品搭載面１４ａに沿って、図１及び図２に矢印をもって示される方向Ｃとされる基板側コネクタ１２に向かう方向に移動せしめられる。このとき、基板側コネクタ１２が備える第１の導電性シェル１７に形成された当接面部３０及び３２及びケーブル側コネクタ１３が備える第２の導電性シェル２１を構成する第２のシェル半体２１Ｂに形成された当接面部４４及び４６の夫々は、方向Ｃに交差する当接面を成すものとされている。それにより、当接面部３０に対する当接面部４４の当接及び当接面部３２に対する当接面部４６の当接は、方向Ｃに交差する面内において行われることになる。
【００４２】
さらに、第２の導電性シェル２１における当接面部４４が第１の導電性シェル１７における当接面部３０に当接するとともに、第２の導電性シェル２１における当接面部４６が第１の導電性シェル１７における当接面部３２に当接するときには、当接面部４４に設けられた嵌合孔部４５が当接面部３０に設けられた係合凸部３１に嵌合するとともに、当接面部４６に設けられた嵌合孔部４７が、当接面部３２に設けられた係合凸部３３に嵌合する。
【００４３】
さらに、ケーブル側コネクタ１３が備える上述のような第１及び第２のシェル半体２１Ａ及び２１Ｂによって構成された第２の導電性シェル２１にあっては、ケーブル側コネクタ１３が基板側コネクタ１２に装着されるとき、第１のシェル半体２１Ａにおける第２の導電コンタクト配列方向の両端部である一対の端部３５及び３６の間の部分に設けられた係合凸部３９に、基板側コネクタ１２が備える第１の導電性シェル１７における第１の導電コンタクト配列方向の両端部である一対の端部２６及び２７の間の部分に設けられた嵌合孔部３４が嵌合する。斯かるもとで、第２の導電性シェル２１における係合凸部３９は、第１の導電性シェル１７における係合凸部３１及び３３に加えて設けられた付加係合凸部を成し、また、第１の導電性シェル１７における嵌合孔部３４は、第２の導電性シェル２１における嵌合孔部４５及び４７に加えて設けられた付加嵌合孔部を成すものとされている。
【００４４】
これよりして、基板側コネクタ１２が備える第１の導電性シェル１７における第１の導電コンタクト配列方向の両端部及びケーブル側コネクタ１３が備える第２の導電性シェル２１における第２の導電コンタクト配列方向の両端部に、ケーブル側コネクタ１３が基板側コネクタ１２に装着されるとき相互当接する一対の当接面部３０及び４４と一対の当接面部３２及び４６とが夫々形成されており、当接面部３０及び３２に、係合凸部３１及び３３が夫々設けられるとともに、当接面部４４及び４６に、ケーブル側コネクタ１３が基板側コネクタ１２に装着されるとき係合凸部３１及び３３に夫々嵌合する嵌合孔部４５及び４７が夫々設けられていることになり、さらに、基板側コネクタ１２が備える第１の導電性シェル１７における第１の導電コンタクト配列方向の両端部の間の部分及びケーブル側コネクタ１３が備える第２の導電性シェル２１における第２の導電コンタクト配列方向の両端部の間の部分に、付加嵌合孔部を成す嵌合孔部３４及びケーブル側コネクタ１３が基板側コネクタ１２に装着されるとき嵌合孔部３４が嵌合する付加係合凸部を成す係合凸部３９が夫々設けられていることになる。
【００４５】
上述のような相互当接する一対の当接面部３０及び４４，相互当接する一対の当接面部３２及び４６，当接面部３０及び３２に夫々設けられた係合凸部３１及び３３、及び、当接面部４４及び４６に夫々設けられた嵌合孔部４５及び４７によって、ケーブル側コネクタ１３が基板側コネクタ１２に装着された状態が安定に維持され、さらに、付加嵌合孔部を成す嵌合孔部３４及び嵌合孔部３４が嵌合する付加係合凸部を成す係合凸部３９が設けられていることにより、ケーブル側コネクタ１３が基板側コネクタ１２に装着された状態の維持が、より一層安定に行われる。
【００４６】
このようなもとにおいて、基板側コネクタ１２が備える第１の導電性シェル１７及びケーブル側コネクタ１３が備える第２の導電性シェル２１にあっては、第１の導電性シェル１７における当接面部３０に係合凸部３１に代えて嵌合孔部４５が設けられるとともに当接面部３２に係合凸部３３に代えて嵌合孔部４７が設けられ、かつ、第２の導電性シェル２１を構成する第２のシェル半体２１Ｂにおける当接面部４４に嵌合孔部４５に代えて係合凸部３１が設けられるとともに当接面部４６に嵌合孔部４７に代えて係合凸部３３が設けられてもよい。さらに、第１の導電性シェル１７及び第２の導電性シェル２１にあっては、第１の導電性シェル１７における端部２６及び２７の間の部分に、付加嵌合孔部を成す嵌合孔部３４に代えて付加係合凸部を成す係合凸部３９が設けられるとともに、第２の導電性シェル２１を成す第１のシェル半体２１Ａにおける端部３５及び３６の間の部分に、付加係合凸部を成す係合凸部３９に代えて付加嵌合孔部を成す嵌合孔部３４が設けられてもよい。
【００４７】
従って、基板側コネクタ１２が備える第１の導電性シェル１７及びケーブル側コネクタ１３が備える第２の導電性シェル２１においては、第１の導電性シェル１７における第１の導電コンタクト配列方向の両端部及び第２の導電性シェル２１における第２の導電コンタクト配列方向の両端部のうちの一方に当接面部３０及び３２が夫々形成されるとともに、第１の導電性シェル１７における第１の導電コンタクト配列方向の両端部及び第２の導電性シェル２１における第２の導電コンタクト配列方向の両端部のうちの他方に当接面部３０及び３２に夫々当接する当接面部４４及び４６が夫々形成され、また、相互当接する一対の当接面部を成す当接面部３０及び４４のうちの一方及び相互当接する一対の当接面部を成す当接面部３２及び４６のうちの一方に、係合凸部３１及び３３が夫々設けられるとともに、相互当接する一対の当接面部を成す当接面部３０及び４４のうちの他方及び相互当接する一対の当接面部を成す当接面部３２及び４６のうちの他方に、係合凸部３１及び３３に夫々嵌合する嵌合孔部４５及び４７が夫々設けられることになる。さらに、それに加えて、第１の導電性シェル１７における第１の導電コンタクト配列方向の両端部の間の部分及び第２の導電性シェル２１における第２の導電コンタクト配列方向の両端部の間の部分のうちの一方に、付加嵌合孔部を成す付加嵌合部３４が設けられるとともに、第１の導電性シェル１７における第１の導電コンタクト配列方向の両端部の間の部分及び第２の導電性シェル２１における第２の導電コンタクト配列方向の両端部の間の部分のうちの他方に、付加嵌合孔部を成す嵌合孔部３４が嵌合する付加係合凸部を成す係合凸部３９が設けられることになる。
【００４８】
上述のような基板側コネクタ１２及びケーブル側コネクタ１３は、図８に示されるように、基板側コネクタ１２が回路基板１４にそれとの電気的接続がなされて配された状態のもとで、複数のケーブル１５が繋がれたケーブル側コネクタ１３が、その絶縁ハウジング２０に設けられた差込部２３を基板側コネクタ１２に設けられた嵌合部１８に挿入させる状態をもって、基板側コネクタ１２に装着されるものとされる。
【００４９】
図８及び図９に示されるように、ケーブル側コネクタ１３が基板側コネクタ１２に装着されたときには、ケーブル側コネクタ１３に備えられた操作レバー２２が、図１及び図２に示されるような回路基板１４に対して立ち上がった位置から図６に示されるような回路基板１４に対して伏した位置へと回動せしめられ、基板側コネクタ１２が備える第１の導電性シェル１７における嵌合部１８の開口端とは反対側の端縁部に係合するものとされ、それにより、ケーブル側コネクタ１３が基板側コネクタ１２に装着された状態が安定に維持される。また、斯かるもとにあっては、基板側コネクタ１２に設けられた嵌合部１８の内部において、基板側コネクタ１２の第１の絶縁ハウジング１６により支持されて配列配置された複数の第１の導電コンタクト２４が、ケーブル側コネクタ１３の第２の絶縁ハウジング２０により支持されて配列配置され、各々の端部が第２の絶縁ハウジング２０が形成する差込部２３に配された、複数の第２の導電コンタクト２５に夫々接触接続される。
【００５０】
基板側コネクタ１２における複数の第１の導電コンタクト２４の夫々は、その一部分が形成する接続端子部が、基板側コネクタ１２が配された回路基板１４における部品搭載面１４ａに設けられた回路接続端子部に電気的に接続されたものとされ、また、ケーブル側コネクタ１３における複数の第２の導電コンタクト２５の夫々は、その端部にケーブル１５が電気的に接続されたものとされている。それゆえ、複数の第１の導電コンタクト２４が複数の第２の導電コンタクト２５に夫々接触接続されることにより、複数のケーブル１５が、複数の第２の導電コンタクト２５及び複数の第１の導電コンタクト２４を通じて、基板側コネクタ１２が配された回路基板１４における部品搭載面１４ａに設けられた回路接続端子部に電気的に連結されることになる。
【００５１】
そして、ケーブル側コネクタ１３が基板側コネクタ１２に装着されたもとにあっては、図９における X−X 線断面を示す図１０及び図１０における破線枠Ａ内を拡大して示す図１１に示されるように、基板側コネクタ１２が備える第１の導電性シェル１７における第１の導電コンタクト配列方向の端部２６に形成された当接面部３０に、ケーブル側コネクタ１３が備える第２の導電性シェル２１における第２の導電コンタクト配列方向の端部に形成された当接面部４４が当接するとともに、当接面部３０に設けられた係合凸部３１に当接面部４４に設けられた嵌合孔部４５が嵌合する。
【００５２】
また、図示は省略されているが、基板側コネクタ１２が備える第１の導電性シェル１７における第１の導電コンタクト配列方向の端部２７に形成された当接面部３２に、ケーブル側コネクタ１３が備える第２の導電性シェル２１における第２の導電コンタクト配列方向の端部に形成された当接面部４６が当接するとともに、当接面部３２に設けられた係合凸部３３に当接面部４６に設けられた嵌合孔部４７が嵌合する。
【００５３】
さらに、図９における XII−XII 線断面を示す図１２及び図１２における破線枠Ｂ内を拡大して示す図１３に示されるように、基板側コネクタ１２が備える第１の導電性シェル１７における第１の導電コンタクト配列方向の両端部の間の部分に設けられた付加嵌合孔部を成す嵌合孔部３４が、ケーブル側コネクタ１３が備える第２の導電性シェル２１における第２の導電コンタクト配列方向の両端部の間の部分に設けられた付加係合凸部を成す係合凸部３９に嵌合する。
【００５４】
上述のように、本願発明に係るコネクタ装置の一例を成す、基板側コネクタ１２とケーブル側コネクタ１３とを含んで構成されるコネクタ装置１１にあっては、ケーブル側コネクタ１３が基板側コネクタ１２に装着されるときには、嵌合孔部４５が係合凸部３１に嵌合する状態のもとに当接面部３０と当接面部４４とが相互当接するとともに、嵌合孔部４７が係合凸部３３に嵌合する状態のもとに当接面部３２と当接面部４６とが相互当接するものとされるので、ケーブル側コネクタ１３が、複数の第２の導電コンタクト２５に複数のケーブル１５が電気的に接続されたもとで、回路基板１４に配された基板側コネクタ１２に装着されたもとにあっては、嵌合孔部４５が係合凸部３１に嵌合する状態のもとに当接面部３０と当接面部４４とが相互当接しているとともに、嵌合孔部４７が係合凸部３３に嵌合する状態のもとに当接面部３２と当接面部４６とが相互当接している。
【００５５】
それゆえ、例えば、ケーブル側コネクタ１３における複数の第２の導電コンタクト２５に接続された複数のケーブル１５が、基板側コネクタ１２が配された回路基板１４から離隔する方向に移動せしめられる事態が生じ、それにより、基板側コネクタ１２に装着されたケーブル側コネクタ１３に、それにおける複数のケーブル１５が外部から繋げられた部分が回路基板１４から離隔する方向に変位せしめられる煽り変位がもたらされようとすると、嵌合孔部４５が係合凸部３１に嵌合する状態のもとに相互当接する当接面部３０及び当接面部４４と、嵌合孔部４７が係合凸部３３に嵌合する状態のもとに相互当接する当接面部３２及び当接面部４６とを有した、基板側コネクタ１２の第１の導電性シェル１７及びケーブル側コネクタ１３の第２の導電性シェル２１が、ケーブル側コネクタ１３における上述の煽り変位を抑制する働きをする。即ち、第１の導電性シェル１７及び第２の導電性シェル２１における、嵌合孔部４５が係合凸部３１に嵌合する状態のもとに相互当接する当接面部３０及び当接面部４４と、嵌合孔部４７が係合凸部３３に嵌合する状態のもとに相互当接する当接面部３２及び当接面部４６とによって、ケーブル側コネクタ１３における複数のケーブル１５が外部から繋げられた部分が基板側コネクタ１２が配された回路基板１４から離隔する方向に変位せしめられる煽り変位に対する抑制力が、効果的に高められているのである。
【００５６】
従って、コネクタ装置１１によれば、基板側コネクタ１２にケーブル側コネクタ１３が装着された後における、ケーブル側コネクタ１３における複数のケーブル１５が外部から繋げられた部分が基板側コネクタ１２が配された回路基板１４から離隔する方向に変位せしめられる煽り変位に対する抑制力を、効果的に高めることができることになる。
【００５７】
また、ケーブル側コネクタ１３が、基板側コネクタ１２に装着されるときには、回路基板１４に沿って、方向Ｃとされる基板側コネクタ１２に向かう方向に移動せしめられるものとされ、斯かるもとで、第１の導電性シェル１７に形成された当接面部３０及び３２及び第２の導電性シェル２１に形成された当接面部４４及び４６の夫々が上述の方向Ｃに交差する当接面を成すものとされているので、嵌合孔部４５が係合凸部３１に嵌合する状態のもとに相互当接する当接面部３０及び当接面部４４と、嵌合孔部４７が係合凸部３３に嵌合する状態のもとに相互当接する当接面部３２及び当接面部４６とによってもたらされる、ケーブル側コネクタ１３における複数のケーブル１５が外部から繋げられた部分が基板側コネクタ１２が配された回路基板１４から離隔する方向に変位せしめられる煽り変位に対する抑制力が、より一層効果的に高められる。
【００５８】
また、コネクタ装置１１にあっては、ケーブル側コネクタ１３が、複数の第２の導電コンタクト２５に複数のケーブル１５が電気的に接続されたもとで、回路基板１４に配された基板側コネクタ１２に装着されるときには、嵌合孔部４５が係合凸部３１に嵌合する状態のもとで当接面部３０と当接面部４４とが相互当接するとともに、嵌合孔部４７が係合凸部３３に嵌合する状態のもとで当接面部３２と当接面部４６とが相互当接し、さらに、それに加えて、付加嵌合孔部を成す嵌合孔部３４が付加係合凸部を成す係合凸部３９に嵌合するものとされる。それにより、コネクタ装置１１によれば、嵌合孔部４５が係合凸部３１に嵌合する状態のもとに相互当接する当接面部３０及び当接面部４４と、嵌合孔部４７が係合凸部３３に嵌合する状態のもとに相互当接する当接面部３２及び当接面部４６とによるだけでなく、それに加えて、付加係合凸部を成す係合凸部３９に嵌合する付加嵌合孔部を成す嵌合孔部３４によって、ケーブル側コネクタ１３における複数のケーブル１５が外部から繋げられた部分が基板側コネクタ１２が配された回路基板１４から離隔する方向に変位せしめられる煽り変位に対する抑制力が、極めて効果的に高められることになる。
【産業上の利用可能性】
【００５９】
以上のような本願発明に係るコネクタ装置は、回路基板に配される基板側コネクタと複数のケーブルを伴うものとされるケーブル側コネクタとを含んで構成され、基板側コネクタが回路基板に電気的に接続される複数の第１の導電コンタクトを備えるとともに、ケーブル側コネクタが複数のケーブルが夫々電気的に接続される複数の第２の導電コンタクトを備え、複数の第２の導電コンタクトを複数の第１の導電コンタクトに夫々接続させる状態をもってケーブル側コネクタが基板側コネクタに装着されるものとされたもとにおいて、基板側コネクタにケーブル側コネクタが装着された後における、ケーブル側コネクタにおける複数のケーブルが外部から繋げられた部分が回路基板から離隔する方向に変位せしめられる煽り変位に対する抑制力を、効果的に高めることができるものとして、様々な電子機器等に広く適用され得るものである。
【符号の説明】
【００６０】
１１・・・コネクタ装置，  １２・・・基板側コネクタ，  １３・・・ケーブル側コネクタ，  １４・・・回路基板，  １４ａ・・・部品搭載面，  １５・・・ケーブル，  １６・・・第１の絶縁ハウジング，  １７・・・第１の導電性シェル，  １８・・・嵌合部，  ２０・・・第２の絶縁ハウジング，  ２１・・・第２の導電性シェル，  ２１Ａ・・・第１のシェル半体，  ２１Ｂ・・・第２のシェル半体，  ２２・・・操作レバー，  ２３・・・差込部，  ２４・・・第１の導電コンタクト，  ２５・・・第２の導電コンタクト，  ２６，２７，３５，３６，４０，４１・・・端部，  ２８，２９・・・基板取り付け部，  ３０，３２，４４，４６・・・当接面部，  ３１，３３，３９・・・係合凸部，  ３４，４５，４７・・・嵌合孔部，  ３７，３８・・・支持溝部，  ４２，４３・・・係合溝部
【図１】
2019029293.tif 000003
【図２】
2019029293.tif 000004
【図３】
2019029293.tif 000005
【図４】
2019029293.tif 000006
【図５】
2019029293.tif 000007
【図６】
2019029293.tif 000008
【図７】
2019029293.tif 000009
【図８】
2019029293.tif 000010
【図９】
2019029293.tif 000011
【図１０】
2019029293.tif 000012
【図１１】
2019029293.tif 000013
【図１２】
2019029293.tif 000014
【図１３】
2019029293.tif 000015